(57)【特許請求の範囲】
【請求項１】
フラットパネルディスプレイの表示パネルの表面側に配設され、
多条状に配設される複数の断面矩形の第一光透過部と、上記第一光透過部同士の間に配設される第二光透過部とを有する光学機能層を備え、
上記第一光透過部が、光拡散剤と、樹脂製マトリックスとを有し、
上記光学機能層における第一光透過部の占める表面積が、５％以上４０％以下であり、
正面輝度の低下を抑制しつつ、斜め方向からの視認性を低下させるよう、上記光拡散剤が樹脂ビーズであり、上記マトリックスの屈折率（ｎ１）が上記光拡散剤の屈折率（ｎ３）よりも大きく、上記マトリックスの屈折率（ｎ１）と光拡散剤の屈折率（ｎ３）との差（ｎ１−ｎ３）が０．０６以上であり、かつ上記マトリックスの屈折率（ｎ１）が上記第二光透過部の屈折率（ｎ２）よりも大きく、上記マトリックスの屈折率（ｎ１）と第二光透過部の屈折率（ｎ２）との差（ｎ１−ｎ２）が０．１５以上であり、上記樹脂ビーズの上記マトリックスに対する質量比が０．１以上２以下である視野角制限シート。
【請求項２】
上記第一光透過部の幅（Ｗ１）に対する厚み（Ｔ１）の比（Ｔ１／Ｗ１）が４以上４０以下である請求項１に記載の視野角制限シート。
【請求項３】
上記第一光透過部同士の配設幅が６μｍ以上４００μｍ以下である請求項１又は請求項２に記載の視野角制限シート。
【請求項４】
上記マトリックスの屈折率（ｎ１）が１．５７以上である請求項１、請求項２又は請求項３に記載の視野角制限シート。
【請求項５】
上記第一光透過部と上記第二光透過部とが隙間なく配置されている請求項１から請求項４のいずれか１項に記載の視野角制限シート。
【請求項６】
上記光学機能層の表面が面一である請求項１から請求項５のいずれか１項に記載の視野角制限シート。
【請求項７】
上記光学機能層の裏面が面一である請求項１から請求項６のいずれか１項に記載の視野角制限シート。
【請求項８】
上記光学機能層の一方の面側に形成される保護層を有する請求項１から請求項７のいずれか１項に記載の視野角制限シート。
【請求項９】
上記保護層の屈折率（ｎ４）が、ｎ４＝ｎ２である請求項８に記載の視野角制限シート。
【請求項１０】
上記マトリックスが顔料を分散含有している請求項１から請求項９のいずれか１項に記載の視野角制限シート。
【請求項１１】
上記光学機能層が、上記第一光透過部と交叉して配設され、光拡散剤と、樹脂製マトリックスとを有する第三光透過部を備える請求項１から請求項１０のいずれか１項に記載の視野角制限シート。
【請求項１２】
請求項１から請求項１１のいずれか１項に記載の視野角制限シートを備えるフラットパネルディスプレイ。
【発明の詳細な説明】
【技術分野】
【０００１】
本発明は、視野角制限シート及びフラットパネルディスプレイに関する。
【背景技術】
【０００２】
フラットパネルディスプレイは、携帯電話、携帯情報端末（ＰＤＡ）、パーソナルコンピュータ、テレビなどの情報用表示デバイスとして多用されている。
【０００３】
このようなフラットパネルディスプレイは、例えば携帯電話や携帯情報端末についていえば、所望の場所で必要な情報を得ることができる等の利点を有する。しかしながら、かかる携帯電話や携帯情報端末に表示される画像は、場所によってはユーザ以外の第三者からも覗き見されるおそれが高く、個人情報漏洩等のプライバシー上の問題を抱えている。
【０００４】
また、フラットパネルディスプレイとしては、ユーザの操作容易性、迅速性等を向上させるべくタッチパネルが搭載されているものもある。かかるタッチパネルが搭載されたフラットパネルディスプレイは、例えば銀行のＡＴＭ等に用いられているが、ユーザがタッチパネルを介して暗証番号や個人情報を入力した際に第三者から覗き見されると、このような情報が悪用されるおそれがある。
【０００５】
このような問題に鑑み、今日では、視野角を制限することで第三者による覗き見を防止することができる視野角制限シートが発案されている（特開２０１０−２２３９９６号公報参照）。
【０００６】
この視野角制御光学シートは、表示画面に狭い視野角を与える第１領域と、表示画面に広い視野角を与える第２領域とを有している。この視野角制御光学シートは、上記第一領域が、光透過性材料からなる光透過部分と光吸収材料からなる光吸収部分とを交互に配置していることを特徴としている。この視野角制御光学シートは、垂直方向の光を中心とした一定の角度範囲の光を取り出すとともに、斜め方向の光を光吸収部分で吸収することができるので、第三者による斜め方向からの覗き見を防止することができる。しかしながら、この視野角制御光学シートは、光吸収部分が一定間隔で配置されているため、正面輝度の低下を招きやすいという問題を有している。
【先行技術文献】
【特許文献】
【０００７】
【特許文献１】特開２０１０−２２３９９６号公報
【発明の概要】
【発明が解決しようとする課題】
【０００８】
本発明は、このような事情に鑑みてなされたものであり、斜め方向からの個人情報等の漏洩を好適に防止することができるとともに、正面輝度の低下を抑制することができる視野角制限シート及びこの視野角制限シートを備えるフラットパネルディスプレイの提供を目的とするものである。
【課題を解決するための手段】
【０００９】
上記課題を解決するためになされた発明は、
多条状に配設される複数の断面矩形の第一光透過部と、上記第一光透過部同士の間に配設される第二光透過部とを有する光学機能層を備え、
上記第一光透過部が、光拡散剤と、樹脂製マトリックスとを有し、
上記光学機能層における第一光透過部の占める表面積が、５％以上４０％以下である視野角制限シートである。
【００１０】
当該視野角制限シートは、第一光透過部と、第一光透過部同士の間に配設される第二光透過部とを有し、第一光透過部が、光拡散剤と、樹脂製マトリックスとを有しているので、裏面側から第二光透過部に対して所定の斜め方向から入射された光線については第一光透過部によって拡散させたうえで出射させることができる。一方、当該視野角制限シートは、裏面側から第二光透過部に対して略垂直に入射された光線については第二光透過部の表面側から略垂直に出射させることができる。従って、当該視野角制限シートは、正面方向からの視認者（ユーザ）に対しては鮮明な画像を表示させることができるとともに、斜め方向からの視認者に対しては表示される画像をぼやけさせることで個人情報等の漏洩を防止することができる。当該視野角制限シートは、裏面側から第二光透過部に対して所定の斜め方向から入射された光線を第一光透過部によって拡散させることで個人情報等の漏洩を防止するものであるから、正面輝度の低下を抑制することができる。当該視野角制限シートは、光拡散層における第一光透過部の占める表面積が５％以上４０％以下とされているので、斜め方向からの個人情報等の漏洩を防止するとともに、第一光透過部により拡散される光線によって正面方向から視認した場合の画像の鮮明度が低下するのを抑制することができる。
【００１１】
当該視野角制限シートは、上記第一光透過部の幅（Ｗ１）に対する厚み（Ｔ１）の比（Ｔ１／Ｗ１）が４以上４０以下であるとよい。これにより、正面方向からの視認者に対して鮮明な画像を表示させるとともに、斜め方向からの個人情報等の漏洩を好適に防止することができる。
【００１２】
当該視野角制限シートは、上記第一光透過部同士の配設幅が６μｍ以上４００μｍ以下であるとよい。これにより、正面方向からの視認者に対して鮮明な画像を表示させるとともに、斜め方向からの個人情報等の漏洩を好適に防止することができる。
【００１３】
当該視野角制限シートは、上記光拡散剤の上記マトリックスに対する質量比が０．１以上２以下であるとよい。これにより、第一光透過部に入射された光線を好適に拡散させることができる。
【００１４】
当該視野角制限シートは、上記マトリックスの屈折率（ｎ１）が上記第二光透過部の屈折率（ｎ２）よりも大きいとよい。これにより、正面方向からの視認者に対して表示される画像の鮮明度を向上させることができる。
【００１５】
当該視野角制限シートは、上記マトリックスの屈折率（ｎ１）と第二光透過部の屈折率（ｎ２）との差（ｎ１−ｎ２）が０．１５以上であるとよい。これにより、正面方向からの視認者に対して表示される画像の鮮明度をさらに向上させることができる。
【００１６】
当該視野角制限シートは、上記マトリックスの屈折率（ｎ１）が１．５７以上であるとよい。これにより、正面方向からの視認者に対して表示される画像の鮮明度を向上させることができる。
【００１７】
当該視野角制限シートは、上記マトリックスの屈折率（ｎ１）と上記光拡散剤の屈折率（ｎ３）との差の絶対値（｜ｎ１−ｎ３｜）が０．０３以上であるとよい。これにより、第一光透過部に入射した光線をマトリックスと光拡散剤との界面で好適に拡散させることができる。
【００１８】
当該視野角制限シートは、上記マトリックスの屈折率（ｎ１）が上記光拡散剤の屈折率（ｎ３）よりも大きいとよい。これにより、第一光透過部に入射した光線を好適に拡散させることができる。
【００１９】
当該視野角制限シートは、上記第一光透過部と上記第二光透過部とが隙間なく配置されているとよい。これにより、正面方向の画像の鮮明度及び斜め方向の画像のぼやけ度を好適に制御することができる。
【００２０】
当該視野角制限シートは、上記光学機能層の表面が面一であるとよい。これにより、出射光線を容易に制御することができる。また、当該視野角制限シートは、光学機能層の厚みを一定に保ち、使用性及び光学的均一性を向上させることができる。
【００２１】
当該視野角制限シートは、上記光学機能層の裏面が面一であるとよい。これにより、入射光線を容易に制御することができる。また、当該視野角制限シートは、光学機能層の厚みを一定に保ち、使用性及び光学的均一性を向上させることができる。
【００２２】
当該視野角制限シートは、上記光学機能層の一方の面側に形成される保護層を有するとよい。これにより、成形性、強度、形状安定性等を向上させることができる。
【００２３】
当該視野角制限シートは、上記保護層の屈折率（ｎ４）が、ｎ４＝ｎ２であるとよい。これにより、光線の損失を抑制し、正面輝度を向上させることができる。
【００２４】
当該視野角制限シートは、上記マトリックスが顔料を分散含有しているとよい。これにより、第一光透過部の耐熱性、熱的寸法安定性、耐候性、強度、経年劣化防止性等を向上させることができる。また、当該視野角制限シートは、上記マトリックスに白色顔料を分散含有させることで、第二光透過部から第一光透過部に向けられた光線を第二光透過部に反射させることができる。その結果、当該視野角制限シートは、正面方向の輝度を向上させることができる。また、当該視野角制限シートは、上記マトリックスに黒色顔料を分散含有させることで、第一光透過部の光線吸収性を高めることができる。その結果、当該視野角制限シートは、第一光透過部に入射した光線を一定程度吸収させ、斜め方向からの視認性を低下させることができる。
【００２５】
当該視野角制限シートは、上記光学機能層が、上記第一光透過部と交叉して配設され、光拡散剤と、樹脂製マトリックスとを有する第三光透過部を備えるとよい。これにより、斜め方向からの視認者によって個人情報等が漏洩するおそれを著しく低減することができる。
【００２６】
当該視野角制限シートは、フラットパネルディスプレイの表示パネルの表面側に配設されるとよい。これにより、正面方向からの視認者に対して鮮明な画像を表示させるとともに、斜め方向からの個人情報等の漏洩を好適に防止することができる。
【００２７】
また、上記課題を解決するためになされたフラットパネルディスプレイは、
当該視野角制限シートを備えるフラットパネルディスプレイである。
【００２８】
当該フラットパネルディスプレイは、当該視野角制限シートの裏面側から第二光透過部に対して所定の斜め方向から入射された光線については第一光透過部によって拡散させたうえで出射させることができる。一方、当該フラットパネルディスプレイは、当該視野角制限シートの裏面側から第二光透過部に対して略垂直に入射された光線については第二光透過部の表面側から略垂直に出射させることができる。従って、当該フラットパネルディスプレイは、正面方向からの視認者（ユーザ）に対しては鮮明な画像を表示させることができるとともに、斜め方向からの視認者に対しては表示される画像をぼやけさせることで個人情報等の漏洩を防止することができる。
【００２９】
なお、本発明において、「幅」とは、長手方向と垂直であってかつシートの厚み方向と垂直な方向の平均長さを意味する。また、「厚み」とは、ＪＩＳ  Ｋ７１３０に準じて測定した平均厚さをいう。「表面側」とは、フラットパネルディスプレイにおける視認者側を意味し、「裏面側」とは、その反対側を意味する。
【発明の効果】
【００３０】
以上説明したように、本発明の視野角制限シート及びこの視野角制限シートを備えるフラットパネルディスプレイは、斜め方向からの個人情報等の漏洩を好適に防止することができるとともに、正面輝度の低下を抑制することができる。
【図面の簡単な説明】
【００３１】
【図１】本発明の一実施形態に係る視野角制限シートを示す模式的断面図である。
【図２】図１の視野角制限シートに対して裏面側から入射した光線の拡散作用を示す図である。
【図３】図１の視野角制限シートとは異なる形態に係る視野角制限シートを示す模式的平面図（ａ）及び模式的断面図（ｂ）である。
【図４】本発明の一実施形態に係るタッチパネルを示す模式的断面図である。
【図５】図４のタッチパネルとは異なる形態に係るタッチパネルを示す模式的断面図である。
【発明を実施するための形態】
【００３２】
［第一実施形態］
〈視野角制限シート１〉
以下、適宜図面を参照しつつ、本発明の実施の形態を詳説する。
【００３３】
図１の視野角制限シート１は、光学機能層２と、保護層３とを有している。
【００３４】
（光学機能層２）
光学機能層２は、多条状に配設される複数の断面矩形の第一光透過部４と、多条状に配設される複数の断面矩形の第二光透過部５とを有している。光学機能層２は、第一光透過部４が間隔をおいて略平行に配設され、第一光透過部４同士の間に第二光透過部５が配設されている。光学機能層２の表面及び裏面は、面一に形成されている。光学機能層２は、第一光透過部４と第二光透過部５とが隙間なく交互に配置されている。
【００３５】
光学機能層２の厚みとしては、特に限定されないが、５０μｍ以上４００μｍ以下が好ましい。光学機能層２の厚みの上限値は、３００μｍがより好ましく、２００μｍがさらに好ましい。一方、光学機能層２の厚みの下限値は、１００μｍがより好ましく、１５０μｍがさらに好ましい。光学機能層２の厚みが上記上限値を超える場合、光線透過性が低下するおそれがあるとともに、当該視野角制限シート１の薄型化の要求に反するおそれがある。逆に、光学機能層２の厚みが上記下限値未満である場合、第一光透過部４に含有される光拡散剤６の量が少なくなり十分な光拡散性を発揮できないおそれがある。
【００３６】
光学機能層２における第一光透過部４の占める表面積としては、５％以上４０％以下とされている。光学機能層２における第一光透過部４の占める表面積の上限は、３０％がより好ましく、２０％がさらに好ましい。一方、光学機能層２における第一光透過部４の占める表面積の下限は、１０％がより好ましく、１５％がさらに好ましい。第一光透過部４の占める表面積が上記上限を超える場合、正面方向からの視認者に対して鮮明な画像を表示させることができないおそれが高くなる。逆に、第一光透過部４の占める表面積が上記下限未満である場合、斜め方向からの個人情報の漏洩を好適に防止できないおそれが高くなる。
【００３７】
（第一光透過部４）
第一光透過部４は、光拡散剤６と、樹脂製マトリックス７とを有している。光拡散剤６は、マトリックス７によって囲繞されている。
【００３８】
マトリックス７を形成する合成樹脂としては、特に限定されないが、熱可塑性樹脂が好適に用いられる。上記熱可塑性樹脂としては、例えば、ポリエチレンテレフタレート、ポリエチレンナフタレート、アクリル樹脂、ポリカーボネート、ポリスチレン、ポリオレフィン、セルロースアセテート、耐候性塩化ビニルが挙げられる。なかでもマトリックス７を形成する合成樹脂としては、透明性、強度が高く、複屈折性の制御が容易なポリエチレンテレフタレート又はポリカーボネートが好ましく、撓み性能が改善されたポリエチレンテレフタレートが特に好ましい。
【００３９】
また、マトリックス７を形成する合成樹脂としては、活性エネルギー線硬化型樹脂も用いられる。マトリックス７を形成する合成樹脂として活性エネルギー線硬化型樹脂が用いられる場合、所定の形状精度を得やすく、また物理的強度を高めて傷付き防止性を向上させ、光学特性の変化を防ぐことができる。マトリックス７を形成する合成樹脂として好適に用いられる活性エネルギー線硬化型樹脂としては、紫外線硬化型樹脂が挙げられる。
【００４０】
上記紫外線硬化型樹脂としては、例えば、紫外線硬化型ウレタンアクリレート系樹脂、紫外線硬化型ポリエステルアクリレート系樹脂、紫外線硬化型エポキシアクリレート系樹脂、紫外線硬化型ポリオールアクリレート系樹脂、紫外線硬化型エポキシ樹脂が挙げられ、なかでも紫外線硬化型アクリレート系樹脂が好ましい。
【００４１】
マトリックス７を形成する合成樹脂として紫外線硬化型樹脂が用いられる場合、光重合開始剤が併用されるのが好ましい。かかる光重合開始剤としては、例えば、ベンゾイン及びその誘導体、アセトフェノン、ベンゾフェノン、ヒドロキシベンゾフェノン、ミヒラーズケトン、α−アミロキシムエステル、チオキサントン等並びにこれらの誘導体を挙げることができる。
【００４２】
上記光重合開始剤の含有量としては、特に限定されないが、紫外線硬化型樹脂に対して１質量％以上１０質量％以下が好ましく、３質量％以上６質量％以下がより好ましい。光重合開始剤の含有量が上記上限を超える場合、紫外線硬化型樹脂の重合度が低下するおそれがある。逆に、光重合開始剤の含有量が上記下限未満である場合、十分に硬化反応が進行しないおそれがある。
【００４３】
また、マトリックス７には、必要に応じて、硬化剤、可塑剤、分散剤、各種レベリング剤、紫外線吸収剤、抗酸化剤、粘性改質剤、潤滑剤、光安定化剤等の添加剤が適宜配合されてもよい。
【００４４】
また、マトリックス７は、顔料を分散含有しているとよい。マトリックス７が分散含有する顔料は、特に限定されるものではなく、白色顔料、黒色顔料、青色顔料、赤色顔料等が挙げられる。マトリックス７が分散含有する顔料は、無機顔料であっても有機顔料であってもよいが、耐光性等に優れる無機顔料が好適に用いられる。
【００４５】
上記白色顔料としては、特に限定されるものではなく、炭酸カルシウム、酸化チタン、酸化亜鉛、炭酸鉛、硫酸バリウム、酸化シリコン、酸化アルミニウム等が挙げられる。
【００４６】
上記黒色顔料としては、特に限定されるものではなく、カーボンブラック、黒色酸化鉄等が挙げられる。
【００４７】
上記青色顔料としては、特に限定されるものではなく、コバルトブルー、ウルトラマリン、プルシアンブルー、ターコイズブルー、マンガニーズブルー、フタロシアニンブルー等が挙げられる。
【００４８】
上記赤色顔料としては、特に限定されるものではなく、べんがら（酸化鉄赤）、カドミウムレッド、モリブデンオレンジ等が挙げられる。
【００４９】
上記顔料の平均粒子径としては、特に限定されないが、１００ｎｍ以上３０μｍ以下が好ましい。上記顔料の平均粒子径の上限値は、３μｍがより好ましく、１μｍがさらに好ましい。一方、上記顔料の平均粒子径の下限値は、２００ｎｍがより好ましく、３００ｎｍがさらに好ましい。上記顔料の平均粒子径が上記上限値を超える場合、顔料によって奏される諸特性効果が低下するおそれがある。逆に、上記顔料の平均粒子径が上記下限値未満の場合、顔料の分散性が低下するおそれがある。なお、本発明における平均粒子径は、倍率１０００倍の電子顕微鏡において観測される粒子から無作為に抽出した３０個の粒子の粒子径を平均したものをいう。また、粒子径は、フェレー径（一定方向の平行線で投影像を挟んだときの間隔）で定義する。
【００５０】
上記顔料のマトリックス７に対する含有量としては、特に限定されないが、５質量部以上３０質量部以下が好ましい。上記顔料の含有量の上限値は、２５質量部がより好ましく、２０質量部がさらに好ましい。一方、上記顔料の含有量の下限値は、７質量部がより好ましく、１０質量部がさらに好ましい。上記顔料の含有量が上記上限値を超える場合、第一光透過部４によって奏される光拡散効果が低下するおそれが高くなる。逆に、上記顔料の含有量が上記下限値未満である場合、顔料によって奏される諸特性効果が低下するおそれがある。
【００５１】
当該視野角制限シート１は、マトリックス７が顔料を分散含有することによって、第一光透過部４の耐熱性、熱的寸法安定性、耐候性、強度、経年劣化防止性等を向上させることができる。また、当該視野角制限シート１は、マトリックス７が白色顔料を分散含有することで、第二光透過部５から第一光透過部４に向けられた光線を第二光透過部５に反射させることができる。その結果、当該視野角制限シート１は、正面方向の輝度を向上させることができる。また、当該視野角制限シート１は、マトリックス７に黒色顔料を分散含有させることで、第一光透過部４の光線吸収性を高めることができる。その結果、当該視野角制限シート１は、第一光透過部４に入射した光線を一定程度吸収させ、斜め方向からの視認性を低下させることができる。
【００５２】
第一光透過部４の厚み（Ｔ１）としては、特に限定されないが、一般的には光学機能層２の厚みと同一とされている。また、第一光透過部４の幅（Ｗ１）としては、特に限定されないが、２．５μｍ以上１００μｍ以下が好ましい。第一光透過部４の幅（Ｗ１）の上限値は、７５μｍがより好ましく、５０μｍがさらに好ましい。一方、第一光透過部４の幅（Ｗ１）の下限値は、５μｍがよりこのましく、７μｍがさらに好ましい。第一光透過部４の幅（Ｗ１）が上記上限値を超える場合、第一光透過部４によって拡散される光線の量が多くなり正面方向からの画像の視認性が低下するおそれが高くなる。逆に、第一光透過部４の幅（Ｗ１）が上記下限値未満である場合、第一光透過部４によって光線を好適に拡散できないおそれが高くなる。
【００５３】
第一光透過部４の幅（Ｗ１）に対する厚み（Ｔ１）の比（Ｔ１／Ｗ１）としては、特に限定されないが、４以上４０以下が好ましい。第一光透過部４の幅（Ｗ１）に対する厚み（Ｔ１）の比（Ｔ１／Ｗ１）の上限は、３５がより好ましく、３０がさらに好ましい。一方、第一光透過部４の幅（Ｗ１）に対する厚み（Ｔ１）の比（Ｔ１／Ｗ１）の下限は、７がより好ましく、１０がさらに好ましい。第一光透過部４の幅（Ｗ１）に対する厚み（Ｔ１）の比（Ｔ１／Ｗ１）が上記範囲外である場合、正面方向からの視認者に対して鮮明な画像を表示させることができないおそれが高くなる。
【００５４】
第一光透過部４同士の配設幅としては、特に限定されないが、６μｍ以上４００μｍ以下が好ましい。第一光透過部４同士の配設幅の上限値は、３００μｍがより好ましく、２００μｍがさらに好ましい。一方、第一光透過部４同士の配設幅の下限値は、５０μｍがより好ましく、１００μｍがさらに好ましい。第一光透過部４同士の配設幅が上記上限値を超える場合、斜め方向からの個人情報の漏洩を好適に防止できないおそれが高くなる。逆に、第一光透過部４同士の配設幅が上記下限未満である場合、正面方向からの視認者に対して鮮明な画像を表示させることができなくなるおそれが高くなる。
【００５５】
マトリックス７の屈折率（ｎ１）としては、特に限定されないが、１．５７以上が好ましく、１．６以上がより好ましく、１．６３以上がさらに好ましい。マトリックス７の屈折率（ｎ１）が上記範囲内にあることによって、第二光透過部５から第一光透過部４に入射された光線が正面方向と比較的近いピークを有する光線として出射されるのを好適に防止することができ、ひいては正面方向からの視認者に対して表示される画像の鮮明度を向上させることができる。
【００５６】
なお、マトリックス７には、屈折率を向上されるため、例えば、ＺｎＯ、ＴｉＯ２、ＣｅＯ2、ＳｎＯ2、ＩＴＯ、Ｃｓ0.33ＷＯ3、Ａｌ2Ｏ3、Ｌａ2Ｏ3、ＺｒＯ2、Ｙ2Ｏ3等の高屈折率微粒子が添加されてもよい。上記高屈折率微粒子の平均粒子径としては、特に限定されないが、１ｎｍ以上１００ｎｍ以下が好ましい。上記高屈折率微粒子の平均粒子径の上限値は、８０ｎｍがより好ましく、６０ｎｍがさらに好ましい。一方、上記高屈折率微粒子の平均粒子径の下限値は、５ｎｍがより好ましく、１０ｎｍがさらに好ましい。上記高屈折率微粒子の平均粒子径が上記上限値を超える場合、第一光透過部４の透明性が低下するおそれがある。逆に、上記高屈折率微粒子の平均粒子径が上記下限値未満の場合、高屈折率微粒子の分散性が低下するおそれがある。
【００５７】
上記高屈折率微粒子のマトリックス７に対する含有量としては、特に限定されないが、例えば１０質量％以上６０質量％以下とすることができる。
【００５８】
光拡散剤６は、第一光透過部４中に略等密度で含有されている。光拡散剤６は、光線を拡散させる性質を有する粒子であり、無機フィラーと有機フィラーに大別される。無機フィラーとしては、例えばシリカ、水酸化アルミニウム、酸化アルミニウム、酸化亜鉛、硫化バリウム、マグネシウムシリケート、又はこれらの混合物を用いることができる。有機フィラーの材料としては、例えばアクリル樹脂、アクリロニトリル樹脂、ポリオレフィン樹脂、ポリウレタン、ポリ塩化ビニル、ポリスチレン、ポリアクリロニトリル、ポリアミド等を用いることができる。なかでも、透明性が高いアクリル樹脂が好ましく、ポリメチルメタクリレート（ＰＭＭＡ）が特に好ましい。
【００５９】
光拡散剤６の形状としては、特に限定されるものではなく、例えば球状、紡錘形状、針状、棒状、立方状、板状、鱗片状、繊維状などが挙げられ、なかでも光拡散性に優れる球状のビーズが好ましい。
【００６０】
光拡散剤６の平均粒子径としては、特に限定されないが、１μｍ以上５０μｍ以下が好ましい。光拡散剤６の平均粒子径の上限値は、２０μｍがより好ましく、１５μｍがさらに好ましい。一方、光拡散剤６の平均粒子径の下限値は、２μｍがより好ましく、５μｍがさらに好ましい。光拡散剤６の平均粒子径が上記上限値を超える場合、第一光透過部４の幅（Ｗ１）が大きくなるおそれがある。逆に、光拡散剤６の平均粒子径が上記下限値未満である場合、光拡散剤６の分散性が低下するおそれがある。
【００６１】
光拡散剤６のマトリックス７に対する質量比としては、特に限定されないが、０．１以上２以下が好ましい。光拡散剤６のマトリックス７に対する質量比の上限は、１がより好ましく、０．５がさらに好ましい。一方、光拡散剤６のマトリックス７に対する質量比の下限は、０．２がより好ましく、０．３がさらに好ましい。光拡散剤６のマトリックス７に対する質量比が上記上限を超える場合、光拡散剤６を固定する効果が低下するおそれがある。逆に、光拡散剤６のマトリックス７に対する質量比が上記下限未満である場合、光拡散性が不十分となるおそれがある。
【００６２】
マトリックス７の屈折率（ｎ１）と光拡散剤６の屈折率（ｎ３）との差の絶対値（｜ｎ１−ｎ３｜）としては、特に限定されないが、０．０３以上が好ましく、０．０６以上がより好ましく、０．０９以上がさらに好ましい。マトリックス７の屈折率（ｎ１）と光拡散剤６の屈折率（ｎ３）との差の絶対値（｜ｎ１−ｎ３｜）が上記下限未満である場合、第一光透過部４に入射した光線をマトリックス７と光拡散剤６との界面で好適に拡散することができないおそれがある。
【００６３】
また、マトリックス７の屈折率（ｎ１）は、光拡散剤６の屈折率（ｎ３）よりも大きい方が好ましい。当該視野角制限シート１は、マトリックス７の屈折率（ｎ１）が光拡散剤６の屈折率（ｎ３）よりも大きいことによって、マトリックス７と光拡散剤６との界面によって光線を好適に拡散することができる。
【００６４】
（第二光透過部５）
第二光透過部５は、光線を透過させる必要があるので透明、特に無色透明の合成樹脂を主成分として形成されている。第二光透過部５の主成分の合成樹脂としては、特に限定されるものではないが、第一光透過部４のマトリックス７を形成する合成樹脂と同様の合成樹脂が挙げられる。また、第二光透過部５には、第一光透過部４と同様の添加剤が添加されていてもよい。
【００６５】
第二光透過部５の厚み（Ｔ２）としては、特に限定されないが、一般的には光学機能層２の厚みと同一とされている。
【００６６】
第二光透過部５の幅（Ｗ２）に対する厚み（Ｔ２）の比（Ｔ２／Ｗ２）としては、特に限定されないが、１以上８．５以下が好ましい。第二光透過部５の幅（Ｗ２）に対する厚み（Ｔ２）の比（Ｔ２／Ｗ２）の上限は、５がより好ましく、４がさらに好ましい。一方、第二光透過部５の幅（Ｗ２）に対する厚み（Ｔ２）の比（Ｔ２／Ｗ２）の下限は、１．５がより好ましく、２がさらに好ましい。厚み比（Ｔ２／Ｗ２）が上記上限を超える場合、第二光透過部５の表面側から出射される光線の量が減少するとともに、第一光透過部４で拡散される光線が増加し、正面方向から視認した場合の画像の鮮明度が低下するおそれがある。逆に、厚み比（Ｔ２／Ｗ２）が上記下限未満である場合、視野角が広くなりすぎ、斜め方向から視認者に対して個人情報等が漏洩するおそれが高くなる。
【００６７】
第二光透過部５の幅（Ｗ２）の第一光透過部４の幅（Ｗ１）に対する比（Ｗ２／Ｗ１）としては、特に限定されないが、１．５以上１５以下が好ましい。第二光透過部５の幅（Ｗ２）の第一光透過部４の幅（Ｗ１）に対する比（Ｗ２／Ｗ１）の上限は、１２がより好ましく、１０がさらに好ましい。一方、第二光透過部５の幅（Ｗ２）の第一光透過部４の幅（Ｗ１）に対する比（Ｗ２／Ｗ１）の下限は、３がより好ましく、５がさらに好ましい。第二光透過部５の幅（Ｗ２）の第一光透過部４の幅（Ｗ１）に対する比（Ｗ２／Ｗ１）が上記上限を超える場合、視野角が広くなりすぎるおそれがある。逆に、第二光透過部５の幅（Ｗ２）の第一光透過部４の幅（Ｗ１）に対する比（Ｗ２／Ｗ１）が上記下限未満である場合、第一光透過部４によって拡散される光線によって正面方向から視認した場合の画像の鮮明度が低下するおそれが高くなる。
【００６８】
第二光透過部５の屈折率（ｎ２）としては、マトリックス７の屈折率（ｎ１）と相違していることが好ましい。また、第二光透過部５の屈折率（ｎ２）は、マトリックス７の屈折率（ｎ１）よりも小さいことが好ましい。当該視野角制限シート１は、第二光透過部５の屈折率（ｎ２）が、マトリックス７の屈折率（ｎ１）よりも小さいことにより、第二光透過部５から第一光透過部４に入射された光線を正面方向と垂直な方向に向けることができる。それゆえ、当該視野角制限シート１は、正面方向と比較的近い方向にピークを有する光線が第一光透過部４の表面側から出射されるのを防止することができ、ひいては正面方向からの視認者に対して表示される画像の鮮明度を向上させることができる。
【００６９】
また、第二光透過部５の屈折率（ｎ２）がマトリックス７の屈折率（ｎ１）よりも小さい場合において、マトリックス７の屈折率（ｎ１）と第二光透過部５の屈折率（ｎ２）との差（ｎ１−ｎ２）としては、特に限定されないが、０．１５以上が好ましく、０．３以上がより好ましく、０．４５以上がさらに好ましい。マトリックス７の屈折率（ｎ１）と第二光透過部５の屈折率（ｎ２）との差（ｎ１−ｎ２）が上記下限未満である場合、正面方向からの視認者に対して表示される画像の鮮明度を好適に向上させることが困難になるおそれが高くなる。
【００７０】
（保護層３）
保護層３は、光学機能層２の裏面に形成されている。保護層３は、光線を透過させる必要があるので透明、特に無色透明の合成樹脂を主成分として形成されている。保護層３の主成分として用いられる合成樹脂としては、特に限定されるものではないが、第二光透過部５に用いられる合成樹脂と同様の合成樹脂が挙げられる。また、保護層３には、第二光透過部５と同様の添加剤が添加されていてもよい。
【００７１】
保護層３の厚みとしては、特に限定されないが、１μｍ以上１０μｍ以下が好ましい。保護層３の厚みの上限値は、８μｍがより好ましく、６μｍがさらに好ましい。一方、保護層３の厚みの下限値は、２μｍがより好ましく、３μｍがさらに好ましい。保護層３の厚みが上記上限値を超える場合、当該視野角制限シート１の薄型化の要求に反するおそれが高くなる。逆に、保護層３の厚みが上記下限値未満である場合、当該視野角制限シート１の強度を好適に高めることができないおそれが高くなる。
【００７２】
保護層３の屈折率（ｎ４）としては、特に限定されないが、ｎ４＝ｎ２であることが好ましい。当該視野角制限シート１は、ｎ４＝ｎ２であることによって、光線の損失を抑制し、正面輝度を向上させることができる。
【００７３】
〈光線の拡散作用〉
次に、図２を参照して、当該視野角制限シート１の裏面側から入射される光線の拡散作用について説明する。なお、図２において、光線Ｌは、保護層３の裏面側から入射され、正面方向にピークを示す分布の光線である。
【００７４】
まず、光線Ｌのうち、保護層３の裏面側から略垂直に入射される光線Ｌ１は、第二光透過部５を透過して、第二光透過部５の表面側から略垂直に出射される。
【００７５】
一方、光線Ｌのうち、光線Ｌ１とθの角度をもって保護層３の裏面側から入射される光線Ｌ２は、第二光透過部５から第一光透過部４に入射される際に、第二光透過部５と第一光透過部４との界面で正面方向と垂直な方向に屈折される。さらに、光線Ｌ２は、第一光透過部４中で、マトリックス７と光拡散剤６との界面で拡散される。そして、光線Ｌ２の拡散光である光線Ｌ２’’は、光線Ｌ２及び光線Ｌ２’よりも強度が小さくなった状態で第一光透過部４と第二光透過部５との界面で正面方向側に屈折され、第二光透過部５の表面側から、正面方向と所定の角度をもって出射される。
【００７６】
このように、当該視野角制限シート１は、保護層３から第二光透過部５に入射される光線のうち、第一光透過部４に入射されない光線によって正面方向に鮮明な画像を表示させることができるとともに、第一光透過部４に入射された光線については好適に拡散させたうえで出射させることで、斜め方向からの情報の漏洩を防止することができる。
【００７７】
〈製造方法〉
当該視野角制限シート１の製造方法としては、上記構造のものが形成できれば特に限定されるものではなく、種々の方法が採用される。当該視野角制限シート１の製造方法としては、一般的には（１）保護層３及び第二光透過部５を一体的に又は別々に形成する工程と、（２）第一光透過部４を形成する工程とを有している。
【００７８】
保護層３及び第二光透過部５を形成する工程としては、具体的には、
（ａ）第二光透過部５の表面の反転形状を有するシート型に合成樹脂を積層し、そのシート型を剥がすことで形成する方法、
（ｂ）第二光透過部５の表面の反転形状を有する金型に溶融樹脂を注入する射出成型法、
（ｃ）シート化された樹脂を再加熱して前記と同様の金型と金属板との間にはさんでプレスして形状を転写する方法、
（ｄ）第二光透過部５の表面の反転形状を周面に有するロール型と他のロールとのニップに溶融状態の樹脂を通し、上記形状を転写する押出しシート成形法、
（ｅ）保護層３に紫外線硬化型樹脂を塗布し、上記と同様の反転形状を有するシート型、金型又はロール型に押さえ付けて未硬化の紫外線硬化型樹脂に形状を転写し、紫外線をあてて紫外線硬化型樹脂を硬化させる方法、
（ｆ）上記と同様の反転形状を有する金型又はロール型に未硬化の紫外線硬化性樹脂を充填塗布し、保護層３で押さえ付けて均し、紫外線をあてて紫外線硬化型樹脂を硬化させる方法等が挙げられる。
【００７９】
また、第一光透過部４を形成する工程としては、具体的には、
（ａ）保護層３及び第二光透過部５を構成するシートの凹状の隙間に光拡散剤６が含有された液状の樹脂組成物を充填し、乾燥させた後、紫外線等を照射して硬化させ、所定の厚みを有する第一光透過部４を形成する方法が挙げられる。また、光拡散剤６が含有された樹脂組成物を充填する方法としては、特に限定されず、スピンコート法、ブレードコート法、ダイコート法等が挙げられる。
【００８０】
当該視野角制限シート１は、第一光透過部４と、第一光透過部４同士の間に配設される第二光透過部５とを有し、第一光透過部４が、光拡散剤６と、マトリックス７とを有しているので、裏面側から第二光透過部５に対して所定の斜め方向から入射された光線については第一光透過部４によって拡散させたうえで出射させることができる。一方、当該視野角制限シート１は、裏面側から第二光透過部５に対して略垂直に入射された光線については第二光透過部５の表面側から略垂直に出射させることができる。従って、当該視野角制限シート１は、正面方向からの視認者（ユーザ）に対しては鮮明な画像を表示させることができるとともに、斜め方向からの視認者に対しては表示される画像をぼやけさせることで個人情報等の漏洩を防止することができる。当該視野角制限シート１は、裏面側から第二光透過部５に対して所定の斜め方向から入射された光線を第一光透過部４によって拡散させることで個人情報等の漏洩を防止するものであるから、正面輝度の低下を抑制することができる。当該視野角制限シート１は、光学機能層２における第一光透過部４の占める表面積が上記範囲とされているので、斜め方向からの個人情報等の漏洩を防止するとともに、第一光透過部４により拡散される光線によって正面方向から視認した場合の画像の鮮明度が低下するのを抑制することができる。
【００８１】
当該視野角制限シート１は、第一光透過部４と第二光透過部５とが隙間なく配置されているので、正面方向の画像の鮮明度及び斜め方向の画像のぼやけ度を好適に制御することができる。
【００８２】
当該視野角制限シート１は、光学機能層２の表面が面一であるので、出射光線を容易に制御することができる。また、当該視野角制限シート１は、光学機能層２の厚みを一定に保ち、使用性及び光学的均一性を向上させることができる。
【００８３】
当該視野角制限シート１は、光学機能層２の裏面が面一であるので、入射光線を容易に制御することができる。また、当該視野角制限シート１は、光学機能層２の厚みを一定に保ち、使用性及び光学的均一性を向上させることができる。
【００８４】
当該視野角制限シート１は、光学機能層２の一方の面側に形成される保護層３を有しているので、成形性、強度、形状安定性等を向上させることができる。
【００８５】
［第二実施形態］
〈視野角制限シート１１〉
図３の視野角制限シート１１は、光学機能層１２と、保護層３とを有している。本実施形態における保護層３は、図１の保護層３と同様のため、同一番号を付して説明を省略する。
【００８６】
（光学機能層１２）
光学機能層１２は、多条状に配設される複数の断面矩形の第一光透過部４と、第一光透過部４同士の間に配設される第二光透過部１４と、第一光透過部４と交叉して配設される第三光透過部１３とを有している。本実施形態における第一光透過部４は、図１の第一光透過部４と同様のため、同一番号を付して説明を省略する。第三光透過部１３は、第一光透過部４と略直角に交叉するように配設されている。第三光透過部１３同士は、略平行に略等間隔で配設されている。光学機能層１２の表面及び裏面は面一に形成されている。光学機能層１２は、第一光透過部４、第二光透過部１４及び第三光透過部１３が隙間なく配置されている。光学機能層１２の厚みは、光学機能層２の厚みと同様である。
【００８７】
（第三光透過部１３）
第三光透過部１３は、光拡散剤６と、樹脂製マトリックス７とを有している。光拡散剤６は、マトリックス７によって囲繞されている。第三光透過部１３に含有される光拡散剤６は、第一光透過部４に含有される光拡散剤６と同様のため、同一番号を付して説明を省略する。また、第三光透過部１３に含有されるマトリックス７は、第一光透過部４に含有されるマトリックス７と同様のため、同一番号を付して説明を省略する。第三光透過部１３の厚み（Ｔ３）、幅（Ｗ３）、幅（Ｗ３）に対する厚み（Ｔ３）の比（Ｔ３／Ｗ３）、配設間隔については、第一光透過部４と同様である。
【００８８】
（第二光透過部１４）
第二光透過部１４は、光線を透過させる必要があるので透明、特に無色透明の合成樹脂を主成分として形成されている。第二光透過部１４の主成分として用いられる合成樹脂としては、第二光透過部５の主成分として用いられる合成樹脂と同様である。第二光透過部１４には、第二光透過部５と同様の添加剤が添加されていてもよい。第二光透過部１４の厚み（Ｔ２）、幅（Ｗ２）に対する厚み（Ｔ２）の比（Ｔ２／Ｗ２）、第二光透過部１４の幅（Ｗ２）の第一光透過部４の幅（Ｗ１）に対する比（Ｗ２／Ｗ１）、第二光透過部１４の屈折率（ｎ２）は、第二光透過部５と同様である。
【００８９】
〈製造方法〉
当該視野角制限シート１１の製造方法としては、上記構造のものが形成できれば特に限定されるものではなく、種々の方法が採用される。当該視野角制限シート１１の製造方法としては、一般的には（１）保護層３及び第二光透過部１４を一体的に又は別々に形成する工程と、（２）第一光透過部４及び第三光透過部１３を形成する工程とを有している。（１）保護層３及び第二光透過部１４を一体的に又は別々に形成する工程、及び（２）第一光透過部４及び第三光透過部１３を形成する工程としては、視野角制限シート１と同様の工程が挙げられる。
【００９０】
当該視野角制限シート１１は、光学機能層１２が、第一光透過部４と交叉して配設される第三光透過部１３を備えているので、裏面側から第二光透過部１４に対して所定の斜め方向から入射された光線については第一光透過部４及び第三光透過部１３によって拡散させたうえで出射させることができる。従って、当該視野角制限シート１１は、斜め方向からの視認者によって個人情報等が漏洩するおそれを著しく低減することができる。
【００９１】
［第三実施形態］
〈タッチパネル２１〉
図４のタッチパネル２１は、基板２２と、透明導電層２３と、粘着層２４と、基板２５と、視野角制限シート１とを有している。本実施形態における視野角制限シート１は、図１の視野角制限シート１と同様のため、同一番号を付して説明を省略する。タッチパネル２１は、表示パネル（図示せず）の表面側に配設されている。タッチパネル２１は、表示パネルから出射される画像光を表面側に出射する。タッチパネル２１は、静電容量方式のタッチパネルとして形成されている。
【００９２】
基板２２は透明な絶縁性材料から形成されている。具体的には、基板２２はガラス基板として形成されている。透明導電層２３は、透明性と導電性とを有する導電性材料によって形成されている。透明導電層２３の形成材料としては、例えば無機系金属や有機導電高分子が挙げられる。無機系金属としては、例えば金、銀、銅、白金、ニッケル、酸化錫、酸化インジウム錫（ＩＴＯ）が挙げられる。有機導電高分子としては、例えばポリアニリン、ポリチオフェン、ポリピロール、ポリキノキサリン等を用いた有機導電性組成物が挙げられる。なかでも、光学特性、外観及び導電性が良好なＩＴＯ又はポリチオフェン系材料が好ましい。粘着層２４は、透明導電層２３と基板２５とを接着している。粘着層２４の形成材料としては、特に限定されないが、アクリル系樹脂、ウレタン系樹脂等の公知の粘着性樹脂が挙げられる。基板２５は透明な絶縁性基板であって、基板２２と同様にガラス基板として形成されている。視野角制限シート１は、基板２５の裏面に積層されている。視野角制限シート１は、粘着層（図示せず）によって基板２５の裏面に積層されている。視野角制限シート１は、第一光透過部４の長手方向が、タッチパネル２１の上下方向と平行になるように配置されている。
【００９３】
当該視野角制限シート１は、表示パネルの表面側に配設されるので、正面方向からの視認者に対して鮮明な画像を表示させるとともに、斜め方向からの個人情報等の漏洩を好適に防止することができる。
【００９４】
当該タッチパネル２１は、当該視野角制限シート１の裏面側から第二光透過部５に対して所定の斜め方向から入射された光線については第一光透過部４によって拡散させたうえで出射させることができる。一方、当該タッチパネル２１は、当該視野角制限シート１の裏面側から第二光透過部５に対して略垂直に入射された光線については第二光透過部５の表面側から略垂直に出射させることができる。従って、当該タッチパネル２１は、正面方向からの視認者（ユーザ）に対しては鮮明な画像を表示させることができるとともに、斜め方向からの視認者に対しては表示される画像をぼやけさせることで個人情報等の漏洩を防止することができる。
【００９５】
［第四実施形態］
〈タッチパネル３１〉
図５のタッチパネル３１は、視野角制限シート１と、基板２２と、透明導電層２３と、粘着層２４と、基板２５とを有している。本実施形態において、視野角制限シート１は、図１の視野角制限シート１と同様であり、基板２２、透明導電層２３、粘着層２４及び基板２５は、図４のタッチパネル２１と同様のため、同一番号を付して説明を省略する。タッチパネル３１は、表示パネル（図示せず）の表面側に配設されている。タッチパネル３１は、表示パネルから出射される画像光を表面側に出射する。タッチパネル３１は、静電容量方式のタッチパネルとして形成されている。視野角制限シート１は、第一光透過部４の長手方向が、タッチパネル３１の上下方向と平行になるように配置されている。
【００９６】
当該視野角制限シート１は、表示パネルの表面側に配設されるので、正面方向からの視認者に対して鮮明な画像を表示させるとともに、斜め方向からの個人情報等の漏洩を好適に防止することができる。
【００９７】
当該タッチパネル３１は、当該視野角制限シート１の裏面側から第二光透過部５に対して所定の斜め方向から入射された光線については第一光透過部４によって拡散させたうえで出射させることができる。一方、当該タッチパネル３１は、当該視野角制限シート１の裏面側から第二光透過部５に対して略垂直に入射された光線については第二光透過部５の表面側から略垂直に出射させることができる。従って、当該タッチパネル３１は、正面方向からの視認者（ユーザ）に対しては鮮明な画像を表示させることができるとともに、斜め方向からの視認者に対しては表示される画像をぼやけさせることで個人情報等の漏洩を防止することができる。
【００９８】
［他の実施形態］
なお、本発明の視野角制限シート及びこの視野角制限シートを備えるフラットパネルディスプレイは、上記態様の他、種々の変更、改良を施した態様で実施することができる。
【００９９】
例えば、当該視野角制限シートは、保護層を有していなくてもよく、また保護層が光学機能層の表面側に設けられていてもよく、保護層が光学機能層の表裏両面側に設けられていてもよい。保護層を有しない場合の当該視野角制限シートの製造方法としては、例えば、所定の基材層及びこの基材層上に配設される第二光透過部を一体的に又は別々に形成し、第二光透過部間に形成される凹状の隙間に第一光透過部を形成したうえで上記基材層をスリットする方法が挙げられる。また、保護層を表裏両面側に備える場合の当該視野角制限シートの製造方法としては、例えば、光学機能層及びこの光学機能層の一方の面側に保護層が形成されたシートの他方の面側にさらに保護層を公知の方法で塗工する方法が挙げられる。
【０１００】
当該視野角制限シートは、第二光透過部が必ずしも合成樹脂から形成されている必要はない。当該視野角制限シートは、第二光透過部が空気から形成される中空部であってもよい。また、当該視野角制限シートは、第一光透過部と第二光透過部とが隙間なく配置されている必要はない。当該視野角制限シートは、第一光透過部と第二光透過部との間に隙間がある場合でも、第一光透過部又は第二光透過部とこの隙間との界面で光線を屈折させることができ、ひいては拡散性を向上させることができる。
【０１０１】
当該視野角制限シートは、光学機能層の表面及び／又は裏面が面一である必要はない。当該視野角制限シートは、例えば、第一光透過部と第二光透過部の厚みを変更することによって、正面方向からの視認性や視野角等を調整することができる。当該視野角制限シートは、保護層と光学機能層との間に他の層が積層されていてもよい。当該視野角制限シートは、第一光透過部同士及び／又は第三光透過部同士が必ずしも等間隔で配置されていなくてもよい。
【０１０２】
当該視野角制限シートは、第一光透過部と第三光透過部とが必ずしも略直角に交叉するように配設されていなくてもよい。また、当該視野角制限シートは、第三光透過部同士の配設間隔が、第一光透過部同士の配設間隔よりも大きくなるように形成されてもよい。当該視野角制限シートは、第一光透過部同士の配設間隔と、第三光透過部同士の配設間隔とを相違させることによって、縦方向と横方向との視野角を好適に調整することができる。
【０１０３】
当該視野角制限シートは、静電容量方式の他、抵抗膜方式や電磁誘導方式等、種々のタッチパネルに配設することができる。当該視野角制限シートは、タッチパネルに配設される場合であっても、必ずしも第一光透過部の長手方向とタッチパネルの上下方向とが平行になるように配置される必要はない。当該視野角制限シートは、必ずしもタッチパネルに取り付けて用いられる必要はなく、液晶ディスプレイやプラズマディスプレイ、有機ＥＬディスプレイ等、種々のフラットパネルディスプレイの表示パネル表面側に配設することができる。
【実施例】
【０１０４】
以下、実施例に基づき本発明を詳述するが、この実施例の記載に基づいて本発明が限定的に解釈されるものではない。
【０１０５】
［実施例１］
アクリル系樹脂をＴダイに供給し、押出成形して第二光透過部を形成するシート状の押出体を成形した。一方、多官能ウレタン（メタ）アクリレート及び錫含有酸化インジウム粒子（ＩＴＯ）（平均一次粒径３０ｎｍ）を含むマトリックス形成材料と、このマトリックス形成材料に対して質量比０．４の割合で含有される光拡散剤（アクリル系樹脂ビーズ）とを含む塗布液を調製し、剥離紙上に塗布してシート体を成形した。さらにこのシート体上に剥離紙を積層したうえで所定の厚みになるように押圧し、第一光透過部を形成するシート体を成形した。次いで、第一光透過部を形成するシート体と第二光透過部を形成するシート体とを順次積層接着していき、第一光透過部と第二光透過部とが順次積層された多層体を作製した。そして、この多層体を所定の間隔で垂直方向に切断したうえ、一方の切断面（裏面側）に第二光透過部と同様の材料からなる平均厚み５μｍの保護層を積層して実施例１の視野角制限シートを得た。
【０１０６】
［実施例２〜６、比較例１、２］
幅（Ｗ１）に対する厚み（Ｔ１）の比（Ｔ１／Ｗ１）、光拡散剤の平均粒子径、光学機能層における第一透過部の占める表面積、及び幅（Ｗ２）に対する厚み（Ｔ２）の比（Ｔ２／Ｗ２）を表１に示す値とした以外は実施例１と同様にして実施例２〜６及び比較例１、２の視野角制限シートを得た。なお、「光学機能層における第一透過部の占める表面積」は、平面視において第一光透過部が光学機能層に占める表面積を基に算出した。
【０１０７】
［比較例３］
アクリル系樹脂をＴダイに供給し、押出成形して第二光透過部を形成するシート状の押出体を成形した。一方、多官能ウレタン（メタ）アクリレートと、この多官能ウレタン（メタ）アクリレート１００質量部に対して３５質量部の割合で含有される光吸収材料としての黒色顔料（カーボンブラック）とを含む塗布液を調製した。次いで、この塗布液を上記押出体表面に塗工し、８０℃で乾燥させたうえ、紫外線を照射して硬化させ、第一光透過部及び第二光透過部からなる積層体を作製した。次に、この積層体と同様の構成を有する積層体を順次積層接着していき、第一光透過部と第二光透過部とが順次積層された多層体を作製した。そして、この多層体を所定の間隔で垂直方向に切断したうえ、一方の切断面（裏面側）に第二光透過部と同様の材料からなる平均厚み５μｍの保護層を積層して比較例３の視野角制限シートを得た。
【０１０８】
［特性の評価］
上記実施例１〜６と比較例１〜３の視野角制限シートをそれぞれタッチパネルの基板の表面に積層し、視野角特性及び輝度特性について評価した。また、比較例４として、何れの視野角制限シートも用いない場合の視野角特性及び輝度特性について評価した。
【０１０９】
視野角特性の評価は、バックライトを照射した際の斜め方向（０°±４５°）の目視による表示画像の視認性によって、
（ａ）表示画像が判別できない場合を◎
（ｂ）表示画像が殆ど判別できない場合を○
（ｃ）表示画像がなんとなく判別できる場合を△
（ｄ）表示画像がはっきり判別できる場合を×
として評価した。その結果を表１に示す。
【０１１０】
輝度特性の評価は、バックライトを照射した際の正面方向（０°±５°）の目視による表示画像の視認性によって、
（ａ）輝度の低下が感じられず、かつ表示画面が鮮明に視認される場合を◎
（ｂ）輝度の低下は感じられないが、表示画面が少しぼやけて視認される場合を○、
（ｃ）輝度の低下が若干程度感じられ、かつ表示画面が少しぼやけて視認される場合を△、
（ｄ）輝度の低下が感じられる場合を×
として評価した。その結果を表１に示す。
【０１１１】
【表１】
0006324662.tif 000002
【０１１２】
上記表１に示すように、実施例１〜６の視野角制限シートを用いた場合、比較例１〜４の場合と対比して、視野角特性を満たすと共に、輝度特性にも優れている。
【産業上の利用可能性】
【０１１３】
以上のように、本発明の視野角制限シート及びこの視野角制限シートを備えるフラットパネルディスプレイは、斜め方向からの個人情報等の漏洩を好適に防止することができるとともに、正面輝度の低下を抑制することができ、液晶ディスプレイやプラズマディスプレイ、有機ＥＬディスプレイ等、種々のフラットパネルディスプレイに好適に使用することができる。
【符号の説明】
【０１１４】
１  視野角制限シート
２  光学機能層
３  保護層
４  第一光透過部
５  第二光透過部
６  光拡散剤
７  マトリックス
１１  視野角制限シート
１２  光学機能層
１３  第三光透過部
１４  第二光透過部
２１  タッチパネル
２２  基板
２３  透明導電層
２４  粘着層
２５  基板
３１  タッチパネル
【図１】
0006324662.tif 000003
【図２】
0006324662.tif 000004
【図３】
0006324662.tif 000005
【図４】
0006324662.tif 000006
【図５】
0006324662.tif 000007